(57)【要約】  【課題】  大規模な建築プロジェクトにおける、施工可能な程度にビル建造物の構造や工程の細部を確定した施工図や製作図、工程表、仕上表などの施工図書を、施工業者が容易に且つ速やかに把握できるように施工情報を配信する。  【解決手段】  ビル建造物の施工管理者が提供する情報を、サーバ制御クライアント装置４から、インターネット１に接続されたＨＴＴＰサーバ装置２Ａ，メールサーバ装置２Ｂを介して、クライアント装置３に配信する。ＨＴＴＰサーバ装置２Ａはクライアント装置３からの通信要求に対して、認証キーがビル建造物の施工工務する者に附されたものであるか認証を行う。認証キーおよびＵＲＬに対応して、施工図ＣＡＤデータ、施工図ＣＡＤデータの変更情報、オプション・セレクト表、オプション・セレクト表の変更情報、工程表、工程表の変更情報、仕上表、仕上表の変更情報、のうち所定の情報をホームページで配信する。【選択図】  図１
2007072937.tif 000002
【特許請求の範囲】
【請求項１】
ビル建造物の施工管理者が提供する情報を配信する施工情報配信サーバ装置と、該施工情報配信サーバ装置にネットワークを介して通信可能に接続されたクライアント装置と、からなり、
前記施工情報配信サーバ装置が前記クライアント装置からのネットワークを介した通信要求に対して認証を行い、認証キーが前記ビル建造物の施工工務する者に附されたものであると承認すると、前記認証キーおよび前記通信要求に対応して、
前記ビル建造物に関しての施工図ＣＡＤデータ、および、その変更情報、
前記ビル建造物の室それぞれの、複数種類の設備に関する設備選択表、および、その変更情報、
前記設備の工事日程に関する工程表、および、その変更情報、
前記ビル建造物の室それぞれの仕上表、および、その変更情報、
のうち、ひとつ以上の所定の情報を前記クライアント装置に配信する施工情報配信システム。
【請求項２】
複数のクライアント装置にインターネットを介して通信可能に接続され、ビル建造物の施工に関する情報を処理するとともに、その情報を前記クライアント装置に配信する施工情報配信サーバ装置において、
施工図ＣＡＤデータを記憶するストレージを備え、
前記ストレージに記憶された施工図ＣＡＤデータを配信する施工図配信手段と、
前記ストレージに記憶された施工図ＣＡＤデータを変更する施工図変更手段と、
前記ストレージに記憶された施工図ＣＡＤデータの変更に関する情報を配信する施工図変更配信手段と、を有する施工情報配信サーバ装置。
【請求項３】
前記ビル建造物の室それぞれの、複数種類の設備に関する設備選択表を配信する設備選択表配信手段と、
前記設備選択表の変更に関する情報を配信する設備選択表変更配信手段と、を有する請求項２に記載の施工情報配信サーバ装置。
【請求項４】
前記ビル建造物の室それぞれの、複数種類の設備の工事日程に関する工程表を配信する工程表配信手段と、
前記工程表の変更に関する情報を配信する工程表変更配信手段と、を有する請求項２または請求項３に記載の施工情報配信サーバ装置。
【請求項５】
前記ビル建造物の室それぞれの、仕上表を配信する仕上表配信手段と、
前記仕上表の変更に関する情報を配信する仕上表変更配信手段と、を有する請求項２〜４のいずれか１項に記載の施工情報配信サーバ装置。
【請求項６】
前記クライアント装置からのインターネットを介しての通信要求に対して認証を行う認証手段を有し、該認証手段により承認されたクライアント装置に対して所定の情報を配信する請求項２〜５のいずれか１項に記載の施工情報配信サーバ装置。
【発明の詳細な説明】
【技術分野】
【０００１】
この発明は、インターネットを介して商業ビルやマンションなどのビル建造物の施工における情報を配信する施工情報配信サーバ装置、および施工情報配信システムに関するものである。
【背景技術】
【０００２】
建築設計の分野においてインターネットを介した情報共有技術が以下の特許文献に開示されている。
特許文献１は建築設計におけるＣＡＤデータの共有に関するものであり、インターネットを介して承認済みの設計図ＣＡＤデータを配信および販売することで、購入者がその設計図を再利用して建築設計および検討できるようにしたものである。
特許文献２は、戸建建築での進捗状況について施主と建築業者との間で情報を共有することに関するものであり、インターネットを介して進捗状況や現場写真、設計図などを公開するものである。また、認証キーを発行して公開情報に対するアクセスレベルを設定することも示されている。
【０００３】
ところで、一般に商業ビルや高層マンションなどビル建造物の大規模建築プロジェクトでは、設計と施工がそれぞれ分立して実施される。
設計段階においては、設計者および施主の検討により設計図や諸元表などの各種設計図書が製作され建築プロジェクトの概要が確定される。また、その後の施工段階においては、施工管理を行うゼネコンや管理業者などの施工管理者が各種設計図書をもとに建築プロジェクトの細部を確定していく。施工管理者は建築プロジェクトの内容を部分に分けて、専門工事業者や部品製造者などの施工業者に発注する。施工業者は自らの管理区分に対する詳細な施工図や製作図を製作するとともに、その施工図、製作図に対しての施工管理者の承認を得て、施工を実施する。また、施工管理者は複数の施工業者間の工程の調整を行い、工程表を作成して施工業者に配布する。
【０００４】
このように大規模な建築プロジェクトでは、設計図書とは別に、施工可能な程度に構造や工程の細部を確定した施工図や製作図、工程表、仕上表などの施工図書が必要となる。
【特許文献１】特開２００２−１３２８４４号公報
【特許文献２】特開２００２−２０７７８７号公報
【発明の開示】
【発明が解決しようとする課題】
【０００５】
従来、施工管理者は上記のような施工図書を電子データとして、または紙面に印刷して各専門工事者や部品製造者に配布していた。施工管理者や施工業者にとっては、この配布される施工図書は確定後の変更が無いことが望ましいものであるが、実際には天候不良や事故などによる工事の遅れ、設計仕様の変更、設備の変更、設備選択（オプションセレクト）の決定遅延などにより施工の途中であっても施工図書には変更が加わるものであった。
【０００６】
施工管理者および施工業者はこれらの変更に関する情報を速やかに把握、共有する必要があるが、従来のように、施工管理者が施工図書を電子データまたは紙面に印刷して各専門工事者や部品製造者に個別に配布することは情報共有の迅速性や確実性の障害となっていた。
【０００７】
そこで、前述の共有技術を用いることが考えられるが、それらの共有技術は、施工図や工程表などの施工図書を施工管理者と施工業者との間で共有することに関するものではなく、工事の途中であっても変更が生じる施工図や工程表などの施工図書に適したものではなかった。
【０００８】
そこで、施工業者が容易に且つ速やかに把握できる施工情報配信サーバ装置、施工情報配信システムが望まれており、本発明はその提供を目的とする。
【課題を解決するための手段】
【０００９】
上記課題を解決するために本発明では以下の手段を採用している。
【００１０】
本発明は、ビル建造物の施工管理者が提供する情報を配信する施工情報配信サーバ装置と、該施工情報配信サーバ装置にネットワークを介して通信可能に接続されたクライアント装置と、からなり、前記施工情報配信サーバ装置が前記クライアント装置からのネットワークを介した通信要求に対して認証を行い、認証キーが前記ビル建造物の施工工務者に附されたものであると承認すると、前記認証キーおよび前記通信要求に対応し、前記ビル建造物に関しての施工図ＣＡＤデータ、および、その変更情報、前記ビル建造物の室それぞれの、複数種類の設備に関する設備選択表、および、その変更情報、前記設備の工事日程に関する工程表、および、その変更情報、前記ビル建造物の室それぞれの仕上表、および、その変更情報、のうち、ひとつ以上の所定の情報を前記クライアント装置に配信する。
【００１１】
このような構成により、インターネットを介して施工管理者および施工業者の間で施工図ＣＡＤデータ、設備選択表（オプション・セレクト表）、工程表、仕上表（以下、これらを施工図書という。）を共有する。また、認証手段を設けることにより、情報セキュリティを確保する。また、認証した相手（施工業者）に対してアクセスレベルを設定し、施工業者ごとに提供できる施工図書の種類を変更する。
【００１２】
施工管理者は施工図書を施工情報配信サーバ装置に記憶させ、必要に応じてそれらの施工図書に変更を加える。施工情報配信サーバ装置はクライアント装置からの要求に従い、ホームページ配信、ダウンロード配信などの手段を用いて最新の施工図書（施工図ＣＡＤデータ、設備選択表、工程表、仕上表など）をクライアント装置に配信する。また、施工図書の変更に関する情報をテキスト形式の情報として施工管理者が製作し、その変更情報を電子メール配信やホームページ配信などの手段を用いてクライアント装置に配信する。
【００１３】
ここで、施工図ＣＡＤデータは例えば、平面詳細図や部分詳細図、床伏せ図、天井伏せ図、断面図などの図面の、施工可能な程度に詳細なＣＡＤデータである。また、設備選択表は例えば、オプション設備についての部屋ごとや住戸ごとの選択を記載した表のことである。マンション建造物などの場合、施工に並行してマンション販売業務が行われるがオプション設備の設置状態は部屋ごとに、またマンション購入者（部屋主）ごとに異なる。そのためにオプション設備の選択は施工途中でしだいに確定していくことになる。また、工程表は例えば、月次工程表や年次工程表などであるが、これらは必ずしも確定的なものではなく、施工にともない随時変更が加えられながら使用される。また、業者ごとに工程の前後関係に制約があり、その変更の確認はより確実におこなわれる必要がある。また、仕上表は例えば、部屋や住戸ごとの壁面や床面、天井面、などの仕上げ処理が記載されるものである。
【００１４】
これらを変更する必要がある場合に、施工業者は速やかに施工情報配信サーバ装置上の施工図書に変更を加えるとともに、ホームページ配信や電子メール配信により、変更内容をたとえばテキスト形式の情報でクライアント装置（施工業者）に伝えることで、施工業者は容易に且つ速やかに施工図書およびその変更情報を入手できる。
【００１５】
また本発明は、複数のクライアント装置にインターネットを介して通信可能に接続して構成され、ビル建造物の施工に関する情報を処理するとともに、その情報を前記クライアント装置に配信する施工情報配信サーバ装置において、施工図ＣＡＤデータを記憶するストレージを備え、前記ストレージに記憶された施工図ＣＡＤデータを配信する施工図配信手段と、前記ストレージに記憶された施工図ＣＡＤデータを変更する施工図変更手段と、前記ストレージに記憶された施工図ＣＡＤデータの変更に関する情報を配信する施工図変更配信手段と、を有する。
【００１６】
このような構成により、インターネットを介して施工管理者および施工業者の間で施工図ＣＡＤデータを共有する。施工管理者は、施工図ＣＡＤデータを施工情報配信サーバ装置に記憶させ、さらに施工図ＣＡＤデータに必要に応じて変更を加える。施工情報配信サーバ装置はクライアント装置からの要求に従い、ホームページ配信、ダウンロード配信などの手段を用いて最新の施工図ＣＡＤデータをクライアント装置に配信する。また、施工図ＣＡＤデータの変更情報を施工管理者が製作し、その変更情報を電子メール配信やホームページ配信などの手段を用いてクライアント装置に配信する。
【００１７】
これにより、施工業者は、クライアント装置を用いて容易に且つ速やかにＣＡＤデータおよびその変更情報を入手できる。
【００１８】
また本発明は、前記ビル建造物の室それぞれの、複数種類の設備に関する設備選択表を配信する設備選択表配信手段と、前記設備選択表の変更に関する情報を配信する設備選択表変更配信手段と、を有する。
【００１９】
このような構成により、インターネットを介して施工管理者および施工業者の間で設備選択表（オプション・セレクト表）を共有する。ここで、設備選択表は例えば、オプション設備についての部屋ごとや部屋主ごとの選択を記載した表のことである。マンション建造物などの場合、施工に並行してマンション販売業務が行われる。また、オプション設備はマンション購入者（部屋主）ごとに、居室ごとに異なる。そのためオプション設備の設置予定は施工途中でしだいに確定していくことになる。そこで施工管理者が設備選択表を施工情報配信サーバ装置に記憶させ、部屋主のオプションセレクトに関しての情報を速やかに設備選択表（オプション・セレクト表）に記載し変更するようにする。施工情報配信サーバ装置はクライアント装置からの要求に従い、ホームページ配信、ダウンロード配信などの手段を用いて、最新の設備選択表（オプション・セレクト表）をクライアント装置に配信する。また、設備選択表（オプション・セレクト表）の変更情報をテキスト形式の情報として施工管理者が製作し、その変更情報を電子メール配信やホームページ配信などの手段を用いてクライアント装置に配信する。
【００２０】
これにより、施工業者はクライアント装置を用いて、容易に且つ速やかに設備選択表（オプション・セレクト表）およびその変更情報を入手できる。
【００２１】
また本発明は、前記ビル建造物の室それぞれの、複数種類の設備の工事日程に関する工程表を配信する工程表配信手段と、前記工程表の変更に関する情報を配信する工程表変更配信手段と、を有する。
【００２２】
このような構成により、インターネットを介して施工管理者および施工業者の間で工程表を共有する。ここで工程表としては、月次工程表や年次工程表などがあるが、これらは必ずしも確定的なものではなく、施工にともない随時変更が加えられながら使用される。また、業者ごとに工程の前後関係に制約があり、その変更の確認は確実に行われる必要がある。そこで施工管理者は工程表を施工情報配信サーバ装置に記憶させ、さらに工程表に必要に応じて変更を加える。施工情報配信サーバ装置はクライアント装置からの要求に従い、ホームページ配信、ダウンロード配信などの手段を用いて、最新の工程表を配信する。また、工程表の変更情報はテキスト形式の情報として施工管理者が製作し、その変更情報を電子メール配信やホームページ配信などの手段を用いてクライアント装置に配信する。
【００２３】
すると、施工業者はクライアント装置を用いて、容易に且つ速やかに工程表および変更情報を入手できる。
【００２４】
また本発明は、前記ビル建造物の室それぞれの、仕上表を配信する仕上表配信手段と、前記仕上表の変更に関する情報を配信する仕上表変更配信手段と、を有する。
【００２５】
このような構成により、インターネットを介して施工管理者および施工業者の間で仕上表を共有する。ここで仕上表は施工の最終段階で活用されるために、頻繁に変更が生じる。そのため従来は周知に多くの手間が必要であったが、このようにインターネットを介して配信することで容易に周知できる。施工管理者は、仕上表を施工情報配信サーバ装置に記憶させ、さらに仕上表に必要に応じて変更を加える。施工情報配信サーバ装置はクライアント装置からの要求に従い、ホームページ配信、ダウンロード配信などの手段を用いて、最新の仕上表を配信する。また、仕上表の変更に関する情報はテキスト形式の情報として施工管理者が製作し、その変更情報を電子メール配信やホームページ配信などの手段を用いてクライアント装置に配信する。
【００２６】
したがって、施工業者はクライアント装置を用いて、容易に且つ速やかに仕上表および変更情報を入手できる。
【００２７】
また本発明は、前記クライアント装置からのインターネットを介しての通信要求に対して認証を行う認証手段を有し、該認証手段により承認されたクライアント装置に対して所定の情報を配信する。
【００２８】
このように認証手段を設けることにより、情報セキュリティを確保できる。また、認証した相手（施工業者）に対してアクセスレベルを設定しておけば、施工業者ごとに、提供する情報の種類を変更できる。
【発明の効果】
【００２９】
本発明によれば、施工図や仕上表、工程表、設備選択表（オプション・セレクト表）、などの施工図書に変更があっても、施工業者が容易に且つ速やかにそれらの情報を把握することができる施工情報配信サーバ装置および施工情報配信システムを提供できる。
【発明を実施するための最良の形態】
【００３０】
本発明の実施形態のシステム構成について図１〜図７を用いて説明する。図１は施工情報配信システムの概略構成を示す概念図である。図２はこの施工情報配信システムを構成する各装置の概略構成を示すブロック図である。図３〜図７は、クライアント装置３に表示されるウィンドウ及びホームページを示す図である。なお、可能な場合には、同一の部分には同一の符号を付して重複する説明を省略する。
【００３１】
また、以下の説明で施工管理者とは、ゼネコンや管理業者などの実際に施工管理を行うもの、および、その施工管理を行うものに委託されて施工情報配信を行うもの、のいずれかとする。
【００３２】
図１に示すようにＨＴＴＰサーバ装置２Ａおよびサーバ制御クライアント装置４、メールサーバ装置２Ｂ、クライアント装置３は、ＷＷＷ（World Wide Web）を含むインターネット１にそれぞれ接続されてなる。これらの各装置間の通信は、ＦＴＰ（File Transfer Protocol）プロトコルやＨＴＴＰ（HyperText Transfer Protocol）プロトコル、ＳＭＴＰ／ＰＯＰ（Simple Mail Transfer Protocol／Post Office Protocol）プロトコルなどで行う。
【００３３】
ここで、施工管理者はサーバ制御クライアント装置４を用いて、施工情報配信サーバ装置であるＨＴＴＰサーバ装置２Ａを制御して、施工業者が管理するクライアント装置３にホームページデータおよび施工図ＣＡＤデータ、工程表データ、仕上表データ、選択表（オプション・セレクト表）などの施工図書のデータを配信する。
【００３４】
ホームページデータはＨＴＭＬ形式のファイルであり、各ページは施工図ＣＡＤデータ、工程表データ、仕上表データなどの施工図書へのリンクを含む。また、施工図書の変更に関する情報を記述する領域を含む。これらの施工図書へのリンクおよび変更情報については後述する。
【００３５】
まず図２を用いて本発明のサーバ制御クライアント装置４、ＨＴＴＰサーバ装置２Ａ、クライアント装置３の構成を説明する。
【００３６】
サーバ制御クライアント装置４は、該装置４全体の動作を統括して制御するＣＰＵやＲＯＭ（不図示）などからなる処理部５を備えている。また、各種アプリケーションのプログラムを記憶するストレージ７を備えている。このストレージ７には必要に応じて施工図ＣＡＤデータ、工程表データ、仕上表データなどの施工図書のデータ、およびホームページのデータを記憶する。ここでは、施工図ＣＡＤデータはＣＡＤアプリケーションのデータであり、工程表や仕上表などは表計算アプリケーションのデータである。またサーバ制御クライアント装置４は、ストレージ７に記憶された各プログラムを展開するＲＡＭ６を備えている。このＲＡＭ６は一時的にデータを記憶する揮発性メモリである。また、通信制御インターフェイス（ＩＦ）８を介してインターネット（ＷＷＷ）１に接続している。また、入出力制御インターフェイス（ＩＦ）９にマウスやキーボードなどの入力装置１０、プリンタやモニタなどの出力装置１１を接続している。また、記憶メディアを読み込むためのドライブ１２を備えている。
【００３７】
このような構成で、サーバ制御クライアント装置４はストレージ７に記憶された各種アプリケーションのプログラムをＲＡＭ６上に展開して処理を実行する。具体的には、ＦＴＰクライアント、メーラのアプリケーションの処理を実行する。
ＦＴＰクライアントはＦＴＰサーバに対してファイルの転送を行うアプリケーションであり、ここでは、施工管理者が施工業者に配信しようとするデータをＨＴＴＰサーバ装置２Ａに送信するために用いる。なお、ＨＴＴＰサーバ装置２ＡではＦＴＰサーバアプリケーションが実行されているものとする。
メーラはメールサーバ装置２Ｂを介して電子メールの配信を行うアプリケーションであり、ここでは、施工管理者から施工業者に電子メールを送信するために用いる。
施工管理者は、施工図書やホームページデータの変更や編集を、他の端末装置（不図示）を用いて行う。その変更や編集した施工図書やホームページのデータは、記憶メディアまたはネットワークを介してサーバ制御クライアント装置４に読み込む。読み込んだデータはＦＴＰクライアントを用いてＦＴＰサーバに送信して、ＨＴＴＰサーバ装置２Ａを介して施工業者に配信する。また、メールサーバ装置２Ｂを介して電子メールを施工業者に配信する。
【００３８】
なお、他の端末装置を用いてデータの変更や編集を行うのではなく、サーバ制御クライアント装置４自体にＣＡＤアプリケーションやホームページ編集アプリケーション、表計算アプリケーションなどを格納しておき、施工管理者がサーバ制御クライアント装置４を用いて施工図書やホームページデータの変更や編集を行うようにしてもよい。
【００３９】
次に、施工情報配信サーバ装置であるＨＴＴＰサーバ装置２Ａについて説明する。ＨＴＴＰサーバ装置２Ａはサーバ制御クライアント装置４と同様に、該装置２Ａ全体の動作を統括して制御するＣＰＵやＲＯＭ（不図示）などからなる処理部５を備えている。また、各種アプリケーションのプログラムを記憶するとともに、施工図書のデータ、およびホームページのデータを記憶するストレージ７を備えている。また、ストレージ７に記憶されたプログラムを展開するＲＡＭ６を備えている。通信制御インターフェイス（ＩＦ）８はインターネット（ＷＷＷ）１に接続している。入出力制御インターフェイス（ＩＦ）９には、入力装置１０および出力装置１１を接続している。
【００４０】
このような構成で、ＨＴＴＰサーバ装置２Ａは、ストレージ７に記憶されたＨＴＴＰサーバ、ＦＴＰサーバのプログラムをＲＡＭ上で展開して処理を行う。
【００４１】
ＦＴＰサーバは、ＦＴＰクライアントからの通信要求に応じてファイルの送受信を行うためのアプリケーションであり、ここでは、サーバ制御クライアント装置４のＦＴＰクライアントから施工図書のデータ、およびホームページデータを受信してストレージ７に記憶する。
【００４２】
ＨＴＴＰサーバは、ＨＴＴＰプロトコルにより、通信要求に応じてホームページデータなどのファイルを配信するアプリケーションである。ここでは、施工業者によるクライアント装置３からの通信要求に応じて、ストレージ７に記憶されている施工図書のデータおよびホームページデータを配信する。
【００４３】
次にクライアント装置３について説明する。クライアント装置３は、サーバ制御クライアント装置４と同様に、該装置３全体の動作を統括して制御するＣＰＵやＲＯＭ（図示していない。）などからなる処理部５を備えている。また、各種アプリケーションのプログラムを記憶するとともに、施工図書データをダウンロードして記憶するストレージ７を備えている。また、ストレージ７に記憶されたプログラムを展開するＲＡＭ６を備えている。また、通信制御インターフェイス（ＩＦ）８を介してインターネット（ＷＷＷ）１に接続している。また、入出力制御インターフェイス（ＩＦ）９に入力装置１０、出力装置１１を接続している。
【００４４】
このような構成で、サーバ制御クライアント装置４は、ストレージ７に記憶されたブラウザ、メーラのプログラムをＲＡＭ上で展開して処理を行う。
【００４５】
ブラウザは、ＨＴＴＰプロトコルでの通信要求をＨＴＴＰサーバに送信するとともに、サーバからの応答を受信するためのアプリケーションである。ここでは、施工業者の操作によって、ホームページを閲覧する。また、施工図書をＨＴＴＰサーバ装置２Ａからダウンロードする。また、場合によってはプラグインを用いてＨＴＭＬ形式やＸＭＬ形式以外のデータ（例えばＣＡＤデータや各種表計算アプリケーションデータ）も閲覧できるように処理する。
【００４６】
メーラはメールサーバ装置２Ｂに記憶された電子メールを、受信し表示するためのアプリケーションであり、ここでは施工管理者によって送信されてきた電子メールを読み込む。
【００４７】
以上の構成のサーバ制御クライアント装置４および、ＨＴＴＰサーバ装置２Ａ、クライアント装置３により本発明は実施できる。なお、メールサーバ装置２Ｂについては、その構成を図示していないが、一般的な構成を用いることができる。
【００４８】
なお、本実施形態ではインターネットサービスプロバイダー（ＩＳＰ）の提供するＨＴＴＰサーバ装置２Ａおよびメールサーバ装置２Ｂを用いる。しかし、必ずしもＩＳＰのものを用いる必要はなく、施工管理者が自らの装備として備えていても良い。また、本発明は少なくともＨＴＴＰサーバ装置２Ａを備えることで実施でき、必ずしもメールサーバ装置２Ｂ、すなわち電子メールの併用を必須とするものではない。また、ＨＴＴＰサーバ装置２Ａがメールサーバアプリケーションを同時に実行するものでも良い。また、ＦＴＰプロトコルによる通信も必ずしも必要でなく、他の通信、例えばＴＥＬＮＥＴプロトコルによる通信や、ＬＡＮを用いたＮｅｔＢＥＵＩプロトコル、ＩＰＸ／ＳＰＸプロトコルなどによる通信を代用してもよい。
【００４９】
以上のシステム構成のもと施工管理者は、インターネット１を介してサーバ制御クライアント装置４からＨＴＴＰサーバ装置２Ａに施工図書のデータやホームページデータを送信して記憶させる。具体的には、施工管理者がサーバ制御クライアント装置４のＦＴＰクライアントアプリケーションを用いて、ＨＴＴＰサーバ装置２Ａ上で実行中のＦＴＰサーバアプリケーションとの接続を確立し、ＦＴＰプロトコルにてサーバ制御クライアント装置４からＨＴＴＰサーバ装置２Ａまで施工図書のデータおよびホームページデータを送信する。ＦＴＰサーバアプリケーションは送信されてきた施工図書のデータやホームページデータをＨＴＴＰサーバ装置２Ａのストレージ７に記憶する。
【００５０】
施工管理者は、ホームページに施工図書へのリンクおよび、その変更に関する情報を記述する。さらに重ねて、電子メールを用いて変更情報を施工業者に配信する。このようにすることで、施工業者は、クライアント装置３を用いて容易に且つ速やかに施工図書およびその変更情報を入手できる。
【００５１】
なお、ホームページを記述するマークアップ言語としては、ＨＴＭＬ以外にもＸＭＬなど他の言語を用いてもよい。これら通信ネットワークの言語やプロトコル自体については一般的なものを用いて実施すればよく、本発明では特に詳細を問わない。
【００５２】
次に、図３〜７を用いてクライアント装置３に表示するウィンドウおよびページの構成例を説明する。
【００５３】
施工業者がクライアント装置３のブラウザを起動してブラウザウィンドウＷ２を立ち上げ、施工情報配信サーバ装置上の所定のファイルのＵＲＬ（Uniform Resource Locator）にアクセスすると、クライアント装置３は、図３（Ａ）に示すウィンドウＷ１をモニタに表示する。ここでウィンドウＷ１は認証のためのものであり、ユーザ名を入力するためのユーザ名入力領域Ｅ１、パスワードを入力するためのパスワード入力領域Ｅ２、ユーザ名とパスワードの入力を確定するためのリンクボタンＢ１、認証をキャンセルするためのリンクボタンＢ２、パスワードを保存するか否かを設定するチェックボタンＣ１を含んでいる。
【００５４】
施工業者が予め施工管理者に届け出て、発行されたユーザ名とパスワードとをこのユーザ名入力領域Ｅ１とパスワード入力領域Ｅ２とに入力し、リンクボタンＢ１を選択すると、当該クライアント装置３はＨＴＴＰサーバ装置２Ａにユーザ名とパスワードを送信する。
【００５５】
ＨＴＴＰサーバ装置２Ａは、送信されてきたユーザ名とパスワードが登録されているものと一致した場合、ストレージ７に記憶していた所定のファイルをクライアント装置３に送信する。
【００５６】
次に、クライアント装置３は、情報が送信されてくると、ウィンドウＷ１をクローズするとともに、ブラウザウィンドウＷ２に受信したファイルを表示する。ここでは、ＨＴＴＰサーバ装置２ＡがＨＴＭＬ形式のファイルであるトップページＰ１のデータを送信し、クライアント装置３は受信したトップページＰ１を図３（Ｂ）に示すようにＨＴＭＬ形式でブラウザウィンドウＷ２に表示する。
【００５７】
トップページＰ１は、そのページの題名を記述した題名表示領域Ｔ１と、施工図書の変更点について記述した変更情報表示領域Ｆ１と、躯体に関するページＰ２へのリンクＬ１−２と、住戸に関するページＰ３へのリンクＬ１−３と、工程に関するページＰ４へのリンクＬ１−４と、オプション・セレクトに関するページＰ５へのリンクＬ１−５と、仕上げに関するページＰ６へのリンクＬ１−６と、マニュアルページＰ７へのリンクＬ１−７と、を含んでいる。
【００５８】
変更情報表示領域Ｆ１は施工管理者によってテキスト形式の情報を記載（追加）される領域であり、その追加が行われる際には、同内容の電子メールが施工管理者によって施工業者に配信されるとともに、施工図書の変更が行われる。このようにすることで、施工業者は、クライアント装置３を用いて容易に且つ速やかに最新の施工図書およびその変更情報を入手できる。
【００５９】
図４（Ａ）に示すページＰ２は、前述のトップページＰ１からのリンクＬ１−２に関係付けられている。このページＰ２には、フロアごとの伏図、躯体（平面）図、断面図への、複数のリンク（Ｌ２−８）を含んでいる。また、題名を記述した題名表示領域Ｔ２と、トップページへのリンクＬ２−１と、を含んでいる。
【００６０】
図４（Ｂ）に示すページＰ８は、前述のページＰ２からの複数のリンク（Ｌ２−８）のうち、５Ｆ伏図に関連付けられているものである。このページＰ８は、題名を記述した題名表示領域Ｔ８と、施工図ＣＡＤデータを表示するページへのリンクＬ８−９と施工図ＣＡＤデータのアーカイブデータへのリンクＬ８−１０と、トップページへのリンクＬ８−１と、を含んでいる。
【００６１】
図５（Ａ）に示すページＰ３は、前述のトップページＰ１からのリンクＬ１−３に関係付けられている。このページＰ３には、ビル建造物の住戸ごとの平面詳細図がそれぞれ複数のリンク（Ｌ３−１２）として含まれている。また、題名を記述した題名表示領域Ｔ３と、トップページへのリンクＬ３−１と、を含んでいる。
【００６２】
図５（Ｂ）に示すページＰ１２は、前述のページＰ３からの複数のリンク（Ｌ３−１２）のうち、４０６号室の平面詳細図に関連付けられたものである。このページＰ１２は、題名を記述した題名表示領域Ｔ１２と、施工図ＣＡＤデータを表示するページへのリンクＬ１２−１３と、施工図ＣＡＤデータのアーカイブデータへのリンクＬ１２−１４と、トップページへのリンクＬ１２−１と、を含んでいる。
【００６３】
このように、施工図ＣＡＤデータを表示するページと、施工図ＣＡＤデータのアーカイブデータと、をホームページ上で公開する。そして、施工図ＣＡＤデータに変更がある場合には、施工管理者がトップページＰ１の変更情報表示領域Ｆ１にその変更点について（追加）記載するとともに、施工図ＣＡＤデータを表示するページと、施工図ＣＡＤデータのアーカイブデータと、を変更する。また、電子メールでも変更情報を配信する。
【００６４】
これにより、施工業者は、電子メールの受信により、もしくは定期的なトップページＰ１の閲覧により、施工図ＣＡＤデータの変更を知り、クライアント装置を用いて容易に且つ速やかに施工図ＣＡＤデータおよびその変更情報を入手できる。
【００６５】
図６（Ａ）に示すページＰ４は、前述のトップページＰ１からのリンクＬ１−４に関係付けられている。このページＰ４は、全体工程表へのリンクＬ４−１５と、製作工程表へのリンクＬ４−１６とを含んでいる。また、題名を記述した題名表示領域Ｔ４と、トップページへのリンクＬ４−１と、を含んでいる。
【００６６】
これらの工程表は、施工にともない随時変更が加えられながら使用される。また、業者ごとに工程の前後関係に制約がある。そこで工程表をホームページ配信、ダウンロード配信し、工程表の変更情報をテキスト形式の情報として、電子メール配信やホームページ配信する。したがって、施工業者はクライアント装置を用いて、容易に且つ速やかに工程表および変更情報を入手できる。
【００６７】
次に、図６（Ｂ）に示すページＰ５は、トップページＰ１からのリンクＬ１−５に関係付けられている。ページＰ５は題名を記述した題名表示領域Ｔ５と、トップページへのリンクＬ５−１と、を含んでいる。また、オプション・セレクト表へのリンクＬ５−１９を含んでいる。このオプション・セレクト表の例は図７に示す。また、ページＰ５のリンクＬ５−１７に関連付けられた注意事項ページは、オプション・セレクトに関する各種取り決め、および表記の施工業者に対する説明を記載している。また、ページＰ５のリンクＬ５−１８に関連付けられた締切予定表ページに住戸ごとのオプション・セレクトの締め切り日程を閲覧可能にした表を記載している。
【００６８】
図７のオプション・セレクト表は、オプション設備についての部屋ごとや部屋主ごとの選択を記載した表のことである。オプション設備の設置予定はマンション購入者（部屋主）ごとに、居室ごとに異なり、施工途中でしだいに確定していく。そこでオプション・セレクト表を速やかにホームページ配信、ダウンロード配信する。また、その変更情報をテキスト形式の情報として電子メール配信やホームページ配信する。これにより、施工業者はクライアント装置を用いて、容易に且つ速やかにオプション・セレクト表およびその変更情報を入手できる。
【００６９】
次に、図６（Ｃ）に示すページＰ６は、トップページＰ１からのリンクＬ１−６に関係付けられている。このページＰ６は、仕上表へのリンクＬ６−２０を含んでいる。また、題名を記述した題名表示領域Ｔ６と、トップページへのリンクＬ６−１と、を含んでいる。
【００７０】
この仕上表は施工の最終段階で活用されるために、頻繁に変更が生じるため、仕上表はホームページ配信、ダウンロード配信する。また、その変更情報はテキスト形式の情報として電子メール配信やホームページ配信する。すると、施工業者はクライアント装置を用いて、容易に且つ速やかに仕上表および変更情報を入手できる。
【００７１】
以上のように、施工図や工程表などの施工図書を施工管理者と施工業者との間で共有するとともに、その変更情報を施工業者に配信する。
【００７２】
これにより、施工管理者から施工業者へ、施工図書の電子データや印刷物を配布する必要が無くなる。すると、天候不良や事故などによる工事の遅れ、設計仕様の変更、オプション設備の変更、オプションセレクトの決定遅延などにより施工の途中に施工図書に変更が加わった場合であっても、施工業者はこれらの変更に関する情報を速やかに把握でき、情報共有の迅速性や確実性を改善できる。
【００７３】
このように、工事の途中であっても変更が生じる施工図や工程表などの施工図書であっても、施工業者が容易に且つ速やかに把握できる施工情報配信サーバ装置、施工情報配信システムを提供できる。
【００７４】
次に、本発明の他の実施形態について図８に基づいて説明する。図８（Ａ）はＨＴＴＰサーバ装置２Ａの構成を説明する図であり、図８（Ｂ）は、このＨＴＴＰサーバ装置２Ａの配信するホームページデータのうち、トップページＰ１について説明する図である。このＨＴＴＰサーバ装置２Ａの構成は、前述の実施形態のものと同様であるが、ストレージ７に記憶する施工図書のデータが、さらに多種におよぶ点で異なる。また、それにともない、トップページＰ１から施工図書のデータへのリンクも多種におよぶことになる。
【００７５】
具体的には、前述の施工図ＣＡＤデータ、仕上表データ、工程表データ、選択表（オプション・セレクト表）データに加えて、建具表データ、機械設備図ＣＡＤデータ、電気設備図ＣＡＤデータ、製作図ＣＡＤデータを、ホームページ配信、ダウンロード配信する。このように、様々な施工図書に関する情報の提供に本発明は適用できる。
【図面の簡単な説明】
【００７６】
【図１】実施形態に係るシステムの概略構成を示すブロック図である。
【図２】実施形態に係る各装置の概略構成を示すブロック図である。
【図３】クライアント装置に表示されるウィンドウＷ１およびページＰ１を示す図である。
【図４】同ページＰ２及びページＰ３を示す図である。
【図５】同ページＰ４及びページＰ５を示す図である。
【図６】同ページＰ６及びページＰ７、ページＰ８を示す図である。
【図７】実施形態に係る設備選択表（オプション・セレクト表）を例示する図である。
【図８】他の実施形態に係る施工情報配信サーバ装置について説明する図である。
【符号の説明】
【００７７】
１−インターネット    ２Ａ−ＨＴＴＰサーバ装置    ２Ｂ−メールサーバ装置    ３−クライアント装置    ４−サーバ制御クライアント装置    ５−処理部    ６−ＲＡＭ    ７−ストレージ    ８−通信制御インターフェイス    ９−入出力制御インターフェイス    １０−入力装置    １１−出力装置
【図１】
2007072937.tif 000003
【図２】
2007072937.tif 000004
【図３】
2007072937.tif 000005
【図４】
2007072937.tif 000006
【図５】
2007072937.tif 000007
【図６】
2007072937.tif 000008
【図７】
2007072937.tif 000009
【図８】
2007072937.tif 000010